(57)【特許請求の範囲】
【請求項１】
箱形の引出と、この引出が出入自在に収納されるケース本体と、このケース本体上に選択的に嵌合される天板とからなり、これらのそれぞれを合成樹脂により一体成形した収納ケースにおいて、
前記引出の出入方向に対して略直交状態で前記ケース本体の底板前部の裏面に配置される補強バーの両端部を、前記ケース本体の脚壁または補強リブ上に一体成形した係合部に係合し得るようにするとともに、
前記両係合部の間に位置する前記底板裏面であって、各係合部の開口内に僅かに入り込んだ位置に突起を形成し、この突起上に前記両係合部にて支持された補強バーが乗り上げるようにして、前記補強バーの両端が前記各係合部から外れないようにしたことを特徴とする収納ケース。
【発明の詳細な説明】
【０００１】
【産業上の利用分野】
本発明は、収納ケースに関し、特に、それぞれ合成樹脂を材料として一体成形される引出、ケース本体、及び天板からなる収納ケースに関するものである。
【０００２】
【従来の技術】
収納ケースは、例えば衣類やビデオテープあるいはコンパクテディスクを収納するものとして種々なものが提案されてきており、出願人も、特願平１１−４０５７０号等において提案してきている。また、この種の収納ケースは、大量かつ安価に提供できることから、合成樹脂を材料として形成するのが一般的である。
【０００３】
合成樹脂からなる収納ケースは、均質で美しいものに仕上げることができるものではあるが、使用する合成樹脂の量を必要最小限にして、そのコスト低減を図るようにしなければならない。そうすると、どうしても剛性が不足してくる部分が出てくるため、長期間使用した場合に変形して、例えば引出の出入れができなくなることも起こり得る。
【０００４】
特に、引出が出入されるケース本体においては、引出を大きく引き出したときに、図５の（ロ）に示すように、その出入開口付近に大きな力が加わることになる。何故なら、各引出内にはビデオテープ等が収納されているため、これを引き出したときに、その重心はケース本体の出入開口から大きく外側に移動して、引出の後部がケース本体の出入開口付近で支えられることになるからである。
【０００５】
まして、引出を引き出して、中に入っているビデオテープを取り出そうとするときには、使用者は引出から手を離すのが一般的であり、そのときにはケース本体の出入開口にて引出を支えなければならないことになるが、この部分での剛性が不足していることが多くて変形することが十分あり得るのである。
【０００６】
そうであれば、当然、ケース本体の出入開口付近での補強を行えばよいことになるが、１つのケース本体でみた場合に、その出入開口の上方側、つまり天板側で補強を行うことには多少無理が出てくる。
【０００７】
天板の前端部下面は、引出の出し入れが円滑に行えるように平らにしておかなければならない。勿論、引出内に入れたものが、その上端縁から突出した場合であっても引出の出し入れが行えるように、天板の前端部下面は平らにしておかなければならない。このため、天板の前端部下面には、補強のための余分なものを付けることができないのである。一方、天板の上側も、その上を平らにして別の物が置けるように、スッキリしたものにしておかなければならない。
【０００８】
そこで、本発明者は、この種の収納ケースについて、その出入開口付近の剛性を無理なく確保するにはどうしたらよいか、について種々検討を重ねてきた結果、本発明を完成したのである。
【０００９】
【発明が解決しようとする課題】
本発明は、この種収納ケースにおける上記実状に鑑みてなされたもので、その解決しようとする課題は、引出を引き出したときに必要な剛性を確保することである。
【００１０】
すなわち、本発明の目的とするところは、ケース本体の出入開口付近の剛性を高めることができて、しかも引出の出入操作に何等の支障もない収納ケースを簡単な構造によって提供することにあり、さらに、剛性を確保するための補強バーの取付け及び取外しが簡単に行え、補強バーの取付け状態を確実に維持することのできる収納ケースを提供することにある。
【００１１】
【課題を解決するための手段】
以上の課題を解決するために、本発明の採った手段は、後述する実施の形態の説明中において使用する符号を付して説明すると、
「箱形の引出２０と、この引出２０が出入自在に収納されるケース本体１０と、このケース本体１０上に選択的に嵌合される天板３０とからなり、これらのそれぞれを合成樹脂により一体成形した収納ケース１００において、
引出２０の出入方向に対して略直交状態でケース本体１０の底板１２前部の裏面に配置される補強バー４０の両端部を、ケース本体１０の脚壁１１ｄまたは補強リブ１３上に一体成形した係合部１４に係合し得るようにするとともに、
両係合部１４・１４の間に位置する底板１２裏面であって、各係合部１４の開口１４ａ内に僅かに入り込んだ位置に突起１５を形成し、この突起１５上に両係合部１４にて支持された補強バー４０が乗り上げるようにして、補強バー４０の両端が各係合部１４から外れないようにしたことを特徴とする収納ケース１００」
である。
【００１２】
すなわち、この収納ケース１００は、これを構成するケース本体１０の底板１２の裏面側であって、当該ケース本体１０の出入開口１０ａに近接する部分に、引出２０の引き出し方向に略直交する状態で補強バー４０を設けるようにしたものである。この補強バー４０は、ムクの金属棒か、その表面を合成樹脂材料によって被覆したものであり、これをケース本体１０の出入開口１０ａに近接した底板１２裏面に取付けることにより、ケース本体１０の出入開口１０ａの近傍の剛性を高めるようにするものである。
【００１３】
この補強バー４０のケース本体１０側に対する取付けは、図２の中程のケース本体１０に示すように、あるいは図３に示すように、出入開口１０ａの脚壁１１ｄまたは補強リブ１３に一体化してある係合部１４を使用することによりなされるのである。後述する実施形態の各係合部１４は、図２及び図４に示すように、ケース本体１０の出入開口１０ａに向けて開口する開口１４ａを有したものであるから、この開口１４ａを通して各係合部１４内に補強バー４０の両端を挿通することにより、その各係合部１４に対する取付を簡単に行えるのである。
【００１４】
各係合部１４の開口１４ａは、これを補強バー４０の直径より僅かに小さいものとしておけば、取付後の補強バー４０の支持を確実に行うことができて、例えば、図２の中程に示したケース本体１０におけるように、その下側のケース本体１０内の引出２０内に落下してしまうことがなくて、引出２０の出入作業に支障を来すことがなくなる。
【００１５】
以上のように、係合部１４を取付けることによって、ケース本体１０の出入開口１０ａにおける剛性が高まるのであるから、図５の（ロ）に示すように、引出２０を大きく引き出した場合でも、この引出２０の後部をしっかりと支えることができるだけでなく、底板１２の出入開口１０ａに近接している部分を撓ませることもないのである。このため、この収納ケース１００を長期間使用したとしても、ケース本体１０の出入開口１０ａ近傍において変形が発生することはないのであり、引出２０の出入作業を常に円滑に行えるのである。
【００１６】
特に、図１に示すような収納ケース１００のように、１つのケース本体１０内に２つの引出２０を入れるような、出入開口１０ａの間口の広いものにおいては、この出入開口１０ａを構成しているケース本体１０の端部の変形がし易いのであるが、これを補強バー４０によって補強することによって、間口の広いケース本体１０であっても、その変形を極力防止することができることになるのである。
【００１７】
各係合部１４が補強バー４０の両端を止めるためのものであれば、この係合部１４は実施形態で示すような開口１４ａを有するものだけでなく、単なる丸形の係合凹所を有するものであってもよく、またその係合するところが丸棒に合わせた円形だけでなく、端部を偏平にした補強バー４０に合わせた長方形穴あるいは長穴であってもよいものである。
【００１８】
従って、この収納ケース１００は、第１に、ケース本体１０の出入開口１０ａ付近の剛性を高めることができて、しかも引出２０の出入操作に何等の支障もないものとなっているのである。
【００１９】
また、この収納ケース１００については、その両係合部１４・１４の間に位置する底板１２裏面であって、各係合部１４の開口１４ａ内に僅かに入り込んだ位置に突起１５を形成し、この突起１５上に両係合部１４にて支持された補強バー４０が乗り上げるようにして、補強バー４０の両端が各係合部１４から外れないようにしてあった。
【００２０】
すなわち、この収納ケース１００は、そのケース本体１０の底板１２側に補強バー４０を取付けるにあたって、図３の（イ）及び図４に示すように、底板１２の裏面に突起１５を形成しておいて、この突起１５によって補強バー４０を、係合部１４の出入開口１０ａとは反対側に押し込むようにしているのである。
【００２１】
このことを図４を参照してさらに詳しく述べると、両端を各係合部１４内に嵌合させた補強バー４０は、その中間部分において突起１５に乗り上げているのであるが、補強バー４０自身の有する弾力性によって元のまっすぐな状態に戻ろうとするから、その反力によって各係合部１４内に端部がしっかりと喰い込むのである。
【００２２】
勿論、補強バー４０が不要となってこれを外したい場合には、そのまま補強バー４０の中程をもって引き抜けば簡単に行えることは言うまでもない。
【００２３】
従って、この収納ケース１００は、上記した第１の機能を発揮する他、補強バー４０の係合部１４に対する取付けを簡単かつ確実に行えるものとなっているのである。
【００２４】
【発明の実施の形態】
次に、上記のように構成した本発明を、図面に示した実施の形態に従って説明すると、次の通りである。まず、図１には、３つのケース本体１０を互いに積み重ねて連結し、一番上のケース本体１０については天板３０による覆いをした収納ケース１００の斜視図が示してあり、各ケース本体１０内には２つづつの引出２０を出入自在に収納したものである。これらのケース本体１０、引出２０、及び天板３０は、合成樹脂材料、主としてポリプロピレンにより一体成形したものであり、半透明状の美しいものに仕上げられたものである。
【００２５】
なお、本実施形態の引出２０は、図１及び図２に示すように、上方のみが開口する箱型のものであり、その中は、図７に示すような付切板２１によって区画されるものである。この付切板２１を入れるために、引出２０の両側壁には差込口が形成してある。また、本実施形態の天板３０の上面には複数の脚収納凹所３３が形成してあり、この脚収納凹所３３は、当該天板３０上に別の収納ケース１００がそのまま載置される場合に、載置する側の収納ケース１００の下面に突出している突出脚１６（図２参照）が係合されるものである。
【００２６】
各ケース本体１０は、右２及び図３に示したように、その各側壁１１の上端に、出入開口１０ａ側から１つの第一嵌合部１１ａ、３つの第二嵌合部１１ｂ、及び１つの第三嵌合部１１ｃを一体的に形成したものであり、第一嵌合部１１ａと第三嵌合部１１ｃとによって天板３０の取付けを、また第二嵌合部１１ｂによって他のケース本体１０の取付けを行えるようにしてある。また、各側壁１１の下端には、図２及び図３に示したように、底板１２から下方に突出する脚壁１１ｄが一体成形してあり、この脚壁１１ｄの内側にある底板１２には、脚壁１１ｄと平行になる補強リブ１３が一体的に形成してある。
【００２７】
なお、このケース本体１０は、図１にも示したように、複数のものを上下に連結して使用することもあるものであるが、下端になるものには、キャスターを取付けると便利になる。そのために、各ケース本体１０の底面側には、キャスター取付穴１７が、図３の（イ）及び図４に示したように形成してある。
【００２８】
上記の補強リブ１３には、上述してた第二嵌合部１１ｂの係合突起が係合される係合穴が形成してあり、これを下側になるケース本体１０側の第二嵌合部１１ｂの係合突起に係合させることにより、積み重ねたケース本体１０同士の連結が行われるのである。
【００２９】
また、図１に示したケース本体１０の内の一番上になるものの上方開口を覆うことになる天板３０は、図２に示したように、前端（図２では左端）側になる裏面に断面Ｌ型係合部３１を、後端側になる裏面に断面丸型係合部３２を形成したものである。そして、この天板３０は、図８に示したように、まずその断面Ｌ型係合部３１をケース本体１０側の第一嵌合部１１ａに形成してあるＬ型係合部に係合させておいてこれを後方に押し込み、後部をケース本体１０上に押しつけることにより、ケース本体１０に対する固定がなされるものである。つまり、この天板３０の後部を押し付けたときには、その断面丸型係合部３２がケース本体１０側に形成してある第三嵌合部１１ｃの丸形係合部に係合されるのである。
【００３０】
さて、このケース本体１０の裏面には、特に図４に示したように、補強バー４０の端部を係合させるための係合部１４が形成してある。本実施形態における係合部１４は、ケース本体１０の脚壁１１ｄの内側にある補強リブ１３に一体的に形成したものであり、出入開口１０ａ側に向かう開口１４ａを形成したものである。勿論、この係合部１４は、補強リブ１３がなければ脚壁１１ｄの内面に形成して実施してもよいものであり、また開口１４ａを形成しないものであってもよく、要するに、補強バー４０の端部を係止あるいは嵌合できるものであれば、その形状は問わないものである。
【００３１】
以上のような係合部１４は、後述する補強バー４０の両端をそれぞれ係止するものであるため、底板１２の出入開口１０ａ側の両側にそれぞれ形成してあって左右一対ものであるが、その形成位置は、ケース本体１０の出入開口１０ａ側の補強を行うために出入開口１０ａに近接した場所であり、かつ、図４にも示したように、補強バー４０の挿入操作がし易くなる程度内方である。換言すれば、後述する補強バー４０の各係合部１４に対する取付けあるいは取外しは、使用者が必要に応じて手作業によって行うものである。
【００３２】
これら一対の係合部１４間に係止した補強バー４０の一部（本実施形態では各係合部１４に近い２箇所）は、図４に示したように、底板１２の裏面に突出形成した各突起１５上に乗り上げるようになされている。つまり、各突起１５は、そのケース本体１０の内奥に向う部分が、各係合部１４の中心を結ぶ線上に位置しており、両端を各係合部１４に係止した補強バー４０の一部を常にケース本体１０の内奥に向うようにしているものである。その意味で、これら各突起１５は、山頂が補強バー４０の前端になるような山形形状のものにするとよいものである。
【００３３】
補強バー４０は、ケース本体１０等を構成している合成樹脂の不足強度を補うものであるから、剛性の高い材料、例えば鉄棒、ステンレス棒、さらにはこれらの表面に合成樹脂を被着したもの等を採用するのが好ましい。また、この補強バー４０は、各係合部１４内に係合させるものであるから、その端部を丸棒のままにしておいてもよいが、係合部１４の開口１４ａ、あるいは開口１４ａがない係合部１４の凹所の形状に合わせた形状に加工したものである。例えば、係合部１４の開口１４ａが狭いものであれば、補強バー４０の端部は、これを押し潰して平らにしたものであってもよい。
【００３４】
【発明の効果】
以上、詳述した通り、本発明においては、上記実施形態にて例示した如く、
「箱形の引出２０と、この引出２０が出入自在に収納されるケース本体１０と、このケース本体１０上に選択的に嵌合される天板３０とからなり、これらのそれぞれを合成樹脂により一体成形した収納ケース１００において、
引出２０の出入方向に対して略直交状態でケース本体１０の底板１２前部の裏面に配置される補強バー４０の両端部を、ケース本体１０の脚壁１１ｄまたは補強リブ１３上に一体成形した係合部１４に係合し得るようにするとともに、
両係合部１４・１４の間に位置する底板１２裏面であって、各係合部１４の開口１４ａ内に僅かに入り込んだ位置に突起１５を形成し、この突起１５上に両係合部１４にて支持された補強バー４０が乗り上げるようにして、補強バー４０の両端が各係合部１４から外れないようにしたこと」
にその構成上の特徴があり、これにより、ケース本体１０の出入開口１０ａ付近の剛性を高めることができて、しかも引出２０の出入操作に何等の支障もない収納ケース１００を簡単な構造によって提供することができるのである。
【００３５】
また、本発明の収納ケース１００は、各突起１５によって補強バー４０を各係合部１４内に係合する方向に付勢することができ、補強バー４０の取付や取外し作業に何等の支障もなく補強バー４０の支持を確実にすることができるのである。
【図面の簡単な説明】
【図１】本発明に係る収納ケースの斜視図である。
【図２】同収納ケースを構成する２つのケース本体と１つの天板とを組み合わせようとしている状態の部分断面図である。
【図３】同収納ケースを構成するケース本体を示すもので、（イ）は下側半分を底面図とした平面図、（ロ）は左側半分を正面図とした断面図である。
【図４】同ケース本体の底板の底面を示すもので、係合部及び突起とこれらに係止される補強バーを示す部分斜視図である。
【図５】同ケース本体と引出との関係を示すもので、（イ）は引出を完全に納めた断面図、（ロ）は引出を大きく引き出したときの断面図である。
【図６】天板を示すもので、（イ）は下側半分を底面とした平面図、（ロ）は長辺方向の縦断面図、（ハ）は部分破断側面図である。
【図７】同収納ケースを構成している引出内を仕切るために使用される付切板を示すもので、（イ）はその側面図、（ロ）は平面図、（ハ）は底面図、（ニ）は正面図である。
【図８】本発明の収納ケースとするにあたって、ケース本体に天板を嵌合しようとしている状態を示した縦断面図である。
【符号の説明】
１００  収納ケース
１０  ケース本体
１０ａ  出入開口
１１  側壁
１１ａ  第一嵌合部
１１ｂ  第二嵌合部
１１ｃ  第三嵌合部
１１ｄ  脚壁
１２  底板
１３  補強リブ
１３ａ  係合穴
１４  係合部
１４ａ  開口
１５  突起
１６  突出脚
１７  キャスター取付穴
２０  引出
２１  付切板
３０  天板
３１  断面Ｌ型係合部
３２  断面丸型係合部
３３  脚収納凹所
４０  補強バー
【図１】
0004741105.tif 000002
【図２】
0004741105.tif 000003
【図３】
0004741105.tif 000004
【図４】
0004741105.tif 000005
【図５】
0004741105.tif 000006
【図６】
0004741105.tif 000007
【図７】
0004741105.tif 000008
【図８】
0004741105.tif 000009